(57)【要約】【課題】本発明は、従来にない非常に画期的なゴミ収納容器を提供することを目的とする。【解決手段】上部開口部１ａを有する容器本体１と、この容器本体１の上部開口部１ａを閉塞する蓋体２とを有するゴミ収納容器であって、前記蓋体２は前記容器本体１の上部開口部１ａに擺動自在に設けられており、また、前記蓋体２の内面部には、通気性を有し光触媒体５を収納する収納部３が設けられるとともに、前記蓋体２の外面部には、前記収納部３内に光を到達させる光透過部４が設けられたものである。【選択図】図１
2020033175.tif 000002
【特許請求の範囲】
【請求項１】
上部開口部を有する容器本体と、この容器本体の上部開口部を閉塞する蓋体とを有するゴミ収納容器であって、前記蓋体は前記容器本体の上部開口部に擺動自在に設けられており、また、前記蓋体の内面部には、通気性を有し光触媒体を収納する収納部が設けられるとともに、前記蓋体の外面部には、前記収納部内に光を到達させる光透過部が設けられていることを特徴とするゴミ収納容器。
【請求項２】
請求項１記載のゴミ収納容器において、前記光触媒体は、前記多孔質部材の表面に光触媒が設けられた構成であることを特徴とするゴミ収納容器。
【請求項３】
請求項１，２いずれか１項に記載のゴミ収納容器において、前記光透過部は、前記蓋体に設けられた開口窓部に光透過性板材を設けて構成されていることを特徴とするゴミ収納容器。
【請求項４】
請求項１〜３いずれか１項に記載のゴミ収納容器において、前記収納部は前記蓋体に着脱自在に設けられていることを特徴とするゴミ収納容器。
【請求項５】
請求項１〜４いずれか１項に記載のゴミ収納容器において、前記容器本体及び前記蓋体は合成樹脂製であることを特徴とするゴミ収納容器。
【請求項６】
請求項１〜５いずれか１項に記載のゴミ収納容器において、前記容器本体には籾殻炭を収納したゴミ受け袋体が配されていることを特徴とするゴミ収納容器。
【請求項７】
請求項６記載のゴミ収納容器において、前記籾殻炭は、グラファイト含有量が１ｇ当たり０．５ｇ未満のものであることを特徴とするゴミ収納容器。
【発明の詳細な説明】
【技術分野】
【０００１】
本発明は、ゴミ収納容器に関するものである。
【背景技術】
【０００２】
従来から、例えば生ゴミなどの有機性廃棄物を収納するものとして実用新案登録第３１１１３６７号に開示されるようなゴミ収納容器（以下、従来例）が提案されている。
【０００３】
この従来例は、上部開口部を有する容器本体と、この容器本体の上部開口部を閉塞する蓋体とを有するもので、容器本体の上部開口部と蓋体との間に密閉枠が挟み込み状態で設けられた構造である。
【０００４】
従って、従来例は、容器本体を蓋体で閉塞した際の密閉度が高く、容器本体の内部で発生する臭気が外部へ漏れることを可及的に抑制することができる。
【先行技術文献】
【特許文献】
【０００５】
【特許文献１】実用新案登録第３１１１３６７号公報
【発明の概要】
【発明が解決しようとする課題】
【０００６】
しかしながら、従来例は、容器本体の内部で発生した臭気が外部へ飛散することを防止する構造の為、容器本体の内部で雑菌が繁殖し易く不衛生な収納状態となり、結局、蓋体を開放する度に容器本体の内部の臭気が外部に漏れ飛散してしまうという問題点がある。
【０００７】
本発明は、前述した問題点を解消するもので、従来にない非常に画期的なゴミ収納容器を提供する。
【課題を解決するための手段】
【０００８】
添付図面を参照して本発明の要旨を説明する。
【０００９】
上部開口部１ａを有する容器本体１と、この容器本体１の上部開口部１ａを閉塞する蓋体２とを有するゴミ収納容器であって、前記蓋体２は前記容器本体１の上部開口部１ａに擺動自在に設けられており、また、前記蓋体２の内面部には、通気性を有し光触媒体５を収納する収納部３が設けられるとともに、前記蓋体２の外面部には、前記収納部３内に光を到達させる光透過部４が設けられていることを特徴とするゴミ収納容器に係るものである。
【００１０】
また、請求項１記載のゴミ収納容器において、前記光触媒体５は、前記多孔質部材５ａの表面に光触媒５ｂが設けられた構成であることを特徴とするゴミ収納容器に係るものである。
【００１１】
また、請求項１，２いずれか１項に記載のゴミ収納容器において、前記光透過部４は、前記蓋体２に設けられた開口窓部４ａに光透過性板材４ｂを設けて構成されていることを特徴とするゴミ収納容器に係るものである。
【００１２】
また、請求項１〜３いずれか１項に記載のゴミ収納容器において、前記収納部３は前記蓋体２に着脱自在に設けられていることを特徴とするゴミ収納容器に係るものである。
【００１３】
また、請求項１〜４いずれか１項に記載のゴミ収納容器において、前記容器本体１及び前記蓋体２は合成樹脂製であることを特徴とするゴミ収納容器に係るものである。
【００１４】
また、請求項１〜５いずれか１項に記載のゴミ収納容器において、前記容器本体１には籾殻炭Ｘを収納したゴミ受け袋体Ｚが配されていることを特徴とするゴミ収納容器に係るものである。
【００１５】
また、請求項６記載のゴミ収納容器において、前記籾殻炭Ｘは、グラファイト含有量が１ｇ当たり０．５ｇ未満のものであることを特徴とするゴミ収納容器に係るものである。
【発明の効果】
【００１６】
本発明は上述のように構成したから、容器本体の内部で臭いの原因となる雑菌を殺菌（繁殖することを防止）して衛生的な収納状態が得られるなど、従来にない非常に画期的なゴミ収納容器となる。
【図面の簡単な説明】
【００１７】
【図１】本実施例を示す斜視図である。
【図２】本実施例を説明する斜視図である。
【図３】本実施例を説明する斜視図である。
【図４】本実施例の使用状態説明図である。
【図５】本実施例の使用状態説明図である。
【発明を実施するための形態】
【００１８】
好適と考える本発明の実施形態を、図面に基づいて本発明の作用を示して簡単に説明する。
【００１９】
例えば、生ゴミ（有機性廃棄物）を収納する際、蓋体２を開放し、この状態で上部開口部１ａから生ゴミを容器本体１に入れて蓋体２を閉じる。容器本体１の内部にて雑菌が発生して容器本体１内に充満するが、蓋体２に設けられた光透過部４から収納部３内に光が透過し、この光の紫外線が光触媒体５に触れることで雑菌に対する殺菌効果が発揮される。
【００２０】
また、本発明は、蓋体２が容器本体１の上部開口部１ａに擺動自在に設けられており、蓋体２を開閉する度に収納部３に収納された光触媒体５が収納部３内で移動して、内部に位置していた光触媒体５が露出する。
【００２１】
従って、生ゴミの容器本体１への投入という不可欠の作業により、光触媒体５が混ぜられるため、常に良好な殺菌作用が確実に得られることになる。
【実施例】
【００２２】
本発明の具体的な実施例について図面に基づいて説明する。
【００２３】
本実施例は、上部開口部１ａを有する容器本体１と、この容器本体１の上部開口部１ａを閉塞する蓋体２とを有するゴミ収納容器である。
【００２４】
容器本体１は、図１〜４に図示したように適宜な合成樹脂製の部材で形成した有底筒状体であり、平面視円形状の底部１ｂと、この底部１ｂの周縁に立ち上がり形成される筒状の周壁部１ｃとで構成され、この周壁部１ｃの上端部が上部開口部１ａとして構成されている。尚、容器本体１は角筒形状でも良いなど形状は適宜設計される。
【００２５】
また、容器本体１の上部開口部１ａには、該上部開口部１ａを閉塞する蓋体２が擺動自在に設けられている。
【００２６】
この蓋体２は、図１〜４に図示したように適宜な合成樹脂製の部材で形成された円形板状体であり、円形平板状の基板部２ａの周縁に垂下部２ｂが垂設され、容器本体１の上部開口部１ａを被嵌状態で閉塞するように構成されている。
【００２７】
また、蓋体２は、容器本体１の上部開口部１ａにヒンジ部６を介して起伏回動自在に枢着されている。
【００２８】
尚、このヒンジ部６として分離して容器本体１に対して蓋体２が着脱自在となる構造のヒンジ部を採用しても良い。
【００２９】
また、蓋体２の内面部には、通気性を有し光触媒体５を収納する収納部３が設けられている。
【００３０】
具体的には、この収納部３は、図２〜４に図示したように適宜な合成樹脂製の部材で形成された無数の通気孔を有する容体３’を設け、この容体３’を蓋体２の内面中央部に設けられる装着部７に着脱自在に設けて構成されている。
【００３１】
この装着部７は、図２〜４に図示したように蓋体２の内面中央部に断面Ｌ字状の被係止部７ａを周方向に間隔を介して４つ並設して構成されており、この被係止部７ａに容体３’の開口周縁部に設けられた鍔状の係止部３ａを係止することで容体３’は蓋体２に装着される。
【００３２】
具体的には、この容体３’の係止部３ａを蓋体２の被係止部７ａ同士間に配するように該蓋体２に対して容体３’を重合し、この状態で容体３’を軸回転させると、各係止部３ａが被係止部７ａ内に入り込むことで係止する。この装着時と反対方向に容体３’を軸回転させると被係止部７ａに対する係止部３ａの係止が解除される。
【００３３】
また、蓋体２の外面部中央には、収納部３内に光を到達させる光透過部４が設けられている。
【００３４】
この光透過部４は、図１，３，４に図示したように蓋体２に設けられた開口窓部４ａに光透過性板材４ｂを設けて構成されている。
【００３５】
従って、この光透過部４を透過した光が収納部３に入り、この収納部３に収納される光触媒体５に照射される。
【００３６】
尚、容器本体１若しくは蓋体２に光を照射する光照射部（ＵＶＬＥＤ）を設けても良い。
【００３７】
また、蓋体２の外面部中央には取手部２ｃが設けられ、蓋体２の外周縁部にしてヒンジ部６の対向位置には指掛け部２ｄが設けられている。
【００３８】
本実施例では、光触媒体５として、粒状の多孔質部材５ａの表面に光触媒５ｂ（酸化チタンゾル）が設けられた光触媒体５を採用している。
【００３９】
本実施例では多孔質部材５ａ（活性炭）の表面に光触媒５ｂ（酸化チタン）が付設された株式会社ユー・イー・エス社製の粒状触媒活性炭（ＫＤＸ−Ｗ）を採用している（図３参照）。
【００４０】
この光触媒５ｂが付設された多孔質部材５ａは、多孔質部材５ａの臭い吸着作用及び光触媒５ｂに光を照射することで得られる殺菌作用（臭いの原因となる雑菌の分解作用）の双方を発揮することになる。
【００４１】
また、本実施例では、図４に図示したように容器本体１にはゴミ受け袋体Ｚが配され、このゴミ受け袋体Ｚには籾殻炭Ｘが収納される。
【００４２】
この籾殻炭Ｘとしては、本出願人が特許第５３６０７６９号で提案する親水籾殻炭（籾殻炭のグラファイト含有量を、籾殻炭１ｇ当たり０．５ｇ未満としたもの）が採用されている。尚、場合によっては、本出願人が特開２０１１−６７８０９で提案する撥水性籾殻炭（籾殻炭のグラファイト含有量を、この籾殻炭１ｇ当たり０．５ｇ以上とし、含水率２０％以下としたもの）を採用しても良い。
【００４３】
実際の使用場面においては、先ず、上記の籾殻炭Ｘを配しておき、この籾殻炭Ｘの上に生ゴミＧを配した後、この生ゴミＧの上に籾殻炭Ｘを配し、順次、生ゴミＧを収納する度に蓋をするように籾殻炭Ｘを配する。
【００４４】
本実施例は上述のように構成したから、例えば、生ゴミＧ（有機性廃棄物）を収納する際、蓋体２を開放し、この状態で上部開口部１ａから生ゴミＧを容器本体１に入れて蓋体２を閉じる。
【００４５】
この際、籾殻炭Ｘにて生ゴミＧから発生する臭いは吸着され、この籾殻炭Ｘで吸着しきれない臭いが容器本体１の上部空間内に充満するが、蓋体２に設けられた光透過部４から収納部３内に光が透過し、この光の紫外線が光触媒体５に触れることで、臭い吸着作用と殺菌作用（臭いの原因となる雑菌の分解作用）の双方が発揮される。
【００４６】
また、本実施例は、蓋体２が容器本体１の上部開口部１ａに擺動自在に設けられており、蓋体２を開閉する度に収納部３に収納された光触媒体５が収納部３内で移動して、内部に位置し光が照射していなかった光触媒体５の部位が露出する（図５参照）。
【００４７】
よって、本実施例によれば、容器本体１への生ゴミＧの投入という不可欠の作業により、光触媒体５が混ぜられる為、常に良好な殺菌作用が確実に得られることになる。
【００４８】
また、本実施例は、光触媒体５は、多孔質部材５ａの表面に光触媒５ｂが設けられているから、光触媒５ｂに光を照射することで得られる殺菌作用（分解作用）に加え、多孔質部材５ａの臭い吸着作用も発揮することになり、しかも、蓋体２が擺動されて光触媒体５が混ぜられることで、常に良好な吸着作用が発揮されることになる。
【００４９】
また、本実施例は、光透過部４は、蓋体２に設けられた開口窓部４ａに光透過性板材４ｂを設けて構成されているから、収納部３に収納された光触媒体５（光触媒５ｂ）に良好に光を照射させることができる。
【００５０】
また、本実施例は、収納部３は蓋体２に着脱自在に設けられているから、例えば光触媒体５の交換などの際に有効となる。
【００５１】
また、本実施例は、容器本体１及び蓋体２は合成樹脂製であるから、簡易構造故にコスト安にして量産性に秀れることになる。
【００５２】
また、本実施例は、容器本体１には籾殻炭Ｘを収納したゴミ受け袋体Ｚが配されているから、籾殻炭Ｘで生ゴミＧの臭いや液体（水分）を吸着でき、しかも、ゴミ受け袋体Ｚに配した生ゴミＧを廃棄する際、このゴミ受け袋体Ｚごと生ゴミＧを廃棄することができ、手を汚さずに生ゴミＧを廃棄することができる。
【００５３】
また、本実施例は、籾殻炭Ｘは、グラファイト含有量が１ｇ当たり０．５ｇ未満のものであるから、臭いの吸着作用及び液体（水分）の吸液作用が良好に発揮される。
【００５４】
尚、本発明は、本実施例に限られるものではなく、各構成要件の具体的構成は適宜設計し得るものである。
【符号の説明】
【００５５】
Ｘ  籾殻炭
Ｚ  ゴミ受け袋体
１  容器本体
１ａ  上部開口部
２  蓋体
３  収納部
４  光透過部
４ａ  開口窓部
４ｂ  光透過性板材
５  光触媒体
５ａ  多孔質部材
５ｂ  光触媒
【図１】
2020033175.tif 000003
【図２】
2020033175.tif 000004
【図３】
2020033175.tif 000005
【図４】
2020033175.tif 000006
【図５】
2020033175.tif 000007